(57)【要約】【課題】移動手摺の移動経路のうちの帰路側の部分で移動手摺の裏面へのブラシの接触を妨げる部材が設けられている乗客コンベヤの場合であっても、移動手摺の裏面に付着した異物を取り除くことができる乗客コンベヤ手摺清掃装置を得る。【解決手段】移動手摺２を案内する案内レール６の溝６ａに設けられ、移動手摺２の裏面２ａに接触して裏面２ａに付着している塵埃を取り除くブラシ３と、溝６ａの外側に設けられた掃除機４と、裏面２ａから取り除かれた異物を溝６ａ内から掃除機４へ導くホース５とを備えている。【選択図】図３
2011051785.tif 000002
【特許請求の範囲】
【請求項１】
移動手摺を案内する案内レールの凹部に設けられ、前記移動手摺の裏面に接触して前記裏面に付着している異物を取り除くブラシと、
前記凹部の外側に設けられた吸引装置と、
前記裏面から取り除かれた前記異物を前記凹部内から前記吸引装置へ導く吸引管とを備えたことを特徴とする乗客コンベヤ手摺清掃装置。
【請求項２】
前記ブラシは、支持部と、前記支持部に支持され、前記裏面に接触する接触部とを有し、
前記支持部には、前記異物を収容する収容室と、前記裏面から取り除かれた前記異物を前記ブラシ側の面から前記収容室内へ導く吸引孔とが形成され、
前記吸引管内は、前記収容室内と連通されていることを特徴とする請求項１に記載の乗客コンベヤ手摺清掃装置。
【請求項３】
前記凹部に設けられ、前記ブラシを支持し、前記凹部の底面と前記ブラシとの間の距離を調整可能な調整台をさらに備えたことを特徴とする請求項１または請求項２に記載の乗客コンベヤ手摺清掃装置。
【請求項４】
前記ブラシは、前記調整台に着脱可能となっていることを特徴とする請求項３に記載の乗客コンベヤ手摺清掃装置。
【請求項５】
前記ブラシは、一対の前記案内レールの両方に設けられ、
前記吸引管は、各前記案内レールの前記凹部に個別に挿入された一対の挿入部を有し、前記裏面から取り除かれた前記異物を各前記挿入部に通過させて共通の前記吸引装置へ導くことを特徴とする請求項１ないし請求項４の何れか１項に記載の乗客コンベヤ手摺清掃装置。
【発明の詳細な説明】
【技術分野】
【０００１】
この発明は、移動手摺の裏面に付着した異物を取り除く乗客コンベヤ手摺清掃装置に関する。
【背景技術】
【０００２】
従来、主枠に固定された支持台と、この支持台に支持され、移動手摺の移動経路のうちの帰路側の部分で移動手摺の裏面に接触してこの裏面に付着した塵埃を取り除くブラシとを備えたエスカレータ手摺清掃装置が知られている（例えば、特許文献１参照）。
【先行技術文献】
【特許文献】
【０００３】
【特許文献１】特開平１０−７３６８号公報
【発明の概要】
【発明が解決しようとする課題】
【０００４】
従来の乗客コンベヤ手摺清掃装置では、移動手摺の移動経路のうちの帰路側の部分で移動手摺の裏面へのブラシの接触を妨げる部材が設けられている乗客コンベヤの場合には、移動手摺の裏面に付着した異物を取り除くことができないという問題点があった。
【０００５】
この発明は、移動手摺の移動経路のうちの帰路側の部分で移動手摺の裏面へのブラシの接触を妨げる部材が設けられている乗客コンベヤの場合であっても、移動手摺の裏面に付着した異物を取り除くことができる乗客コンベヤ手摺清掃装置を提供するものである。
【課題を解決するための手段】
【０００６】
この発明に係る乗客コンベヤ手摺清掃装置は、移動手摺を案内する案内レールの凹部に設けられ、前記移動手摺の裏面に接触して前記裏面に付着している異物を取り除くブラシと、前記凹部の外側に設けられた吸引装置と、前記裏面から取り除かれた前記異物を前記凹部内から前記吸引装置へ導く吸引管とを備えている。
【発明の効果】
【０００７】
この発明に係る乗客コンベヤ手摺清掃装置によれば、案内レールの溝にブラシが設けられるので、移動手摺の移動経路のうちの往路側の部分で移動手摺の裏面にブラシを接触させることができ、移動手摺の移動経路のうちの帰路側の部分で移動手摺の裏面へのブラシの接触を妨げる部材が設けられている乗客コンベヤの場合であっても、移動手摺の裏面に付着した異物を取り除くことができる。
【図面の簡単な説明】
【０００８】
【図１】この発明の実施の形態１に係るエスカレータ手摺清掃装置が取り付けられたエスカレータを示す側面図である。
【図２】図１のブラシを移動手摺の移動方向に直交した面で切ったときの断面図である。
【図３】図１のエスカレータ手摺清掃装置を示す平面図である。
【図４】図３のブラシ、固定台および吸引ホース部を示す側面図である。
【図５】図２のブラシを示す拡大図である。
【図６】図２のブラシおよび吸引ホース部を示す側断面図である。
【図７】図２のブラシおよび吸引ホース部を示す平面図である。
【図８】図２の固定台本体を示す正面図である。
【図９】図３の吸引ホース部を示す側面図である。
【発明を実施するための形態】
【０００９】
以下、この発明の各実施の形態を図に基づいて説明するが、各図において、同一または相当の部材、部位については、同一符号を付して説明する。
【００１０】
実施の形態１．
図１はこの実施の形態に係るエスカレータ手摺清掃装置（乗客コンベヤ手摺清掃装置）１が取り付けられたエスカレータを示す側面図である。エスカレータ手摺清掃装置１は、移動手摺２の裏面２ａに付着している塵埃（異物）を取り除くブラシ３と、裏面２ａから取り除かれた塵埃を吸引する掃除機（吸引装置）４と、ブラシ３および掃除機４に接続され、裏面２ａから取り除かれた塵埃を掃除機４へ導くホース（吸引管）５とを備えている。
【００１１】
ブラシ３は、移動手摺２の移動経路のうち、往路側における上側水平部分に配置される。また、ブラシ３は、移動手摺２の裏面２ａに接触した状態で配置される。移動手摺２の裏面２ａに付着している塵埃は、ブラシ３が移動手摺２の裏面２ａに接触しながら移動手摺２が循環移動することにより、取り除かれる。
【００１２】
図２は図１のブラシ３を移動手摺２の移動方向に直交した面で切ったときの断面図、図３は図１のエスカレータ手摺清掃装置１を示す平面図である。移動手摺２は、移動手摺２の移動経路のうちの往路側で、移動手摺２を案内する案内レール６に掛けられている。案内レール６には、移動手摺２の移動方向に沿って溝（凹部）６ａが形成されている。溝６ａは、図２に示すように、移動手摺２の裏面に向けて開放されている。溝６ａ内には、ブラシ３と、ブラシ３を支持した固定台（調整台）７とが設けられている。固定台７は、複数のビス８によって溝６ａ内に固定されている。ビス８は溝６ａの底面に設けられたねじ穴に螺着されている。なお、固定台７を案内レール６に固定する手段は、ビス８に限らず、例えば、リベット等を用いてもよい。
【００１３】
固定台７は、移動手摺２の移動方向に沿って貫通した空洞９ａが形成された直方体形状の固定台本体９と、溝６ａの底面と固定台本体９との間に設けられ、溝６ａの底面とブラシ３との間の距離を調整する複数の調整カラー１０とを有している。固定台本体９は、直方体形状の長手方向を溝６ａに沿った方向に一致させて配置されている。固定台本体９は、空洞９ａを囲む底壁、上壁および一対の側壁により構成されている。溝６ａの底面とブラシ３との間の距離は、調整カラー１０の厚さの調整により調整される。したがって、移動手摺２の裏面２ａに対するブラシ３の接触状態は、調整カラー１０の厚さの調整により調整される。
【００１４】
固定台７およびブラシ３は、一対の案内レール６の両方に一つずつ設けられている。ホース５は、各案内レール６の溝６ａに個別に挿入された一対の挿入部１１と、掃除機４に接続された掃除機ホース部１２と、各挿入部１１と掃除機ホース部１２とを接続した接続器具部１３とを有している。挿入部１１は、溝６ａに設けられた吸引ホース部１４と、接続器具部１３に接続された連結ホース部１５とを含んでいる。裏面２ａから取り除かれた塵埃は、各挿入部１１を通過して、共通の掃除機４へ導かれる。挿入部１１および掃除機ホース部１２は、湾曲可能な蛇腹部を有している。
【００１５】
図４は図３のブラシ３、固定台７および吸引ホース部１４を示す側面図である。案内レール６には、溝６ａの側壁を貫通した差込口６ｂが形成されている。差込口６ｂには連結ホース部１５が挿入可能となっている。連結ホース部１５は、差込口６ｂに挿入されて、溝６ａ内で吸引ホース部１４と接続される。
【００１６】
図５は図２のブラシ３を示す拡大図、図６は図２のブラシ３および吸引ホース部１４を示す側断面図、図７は図２のブラシ３および吸引ホース部１４を示す平面図である。ブラシ３は、支持部１６と、支持部１６に支持され、裏面２ａに接触する複数の接触部１７とを有している。接触部１７は、例えば、獣毛、植物または樹脂の繊維等から構成されている。支持部１６には、裏面２ａから取り除かれた塵埃を収容する収容室１６ａと、接触部１７側の壁に形成された一対の長孔（吸引孔）１６ｂおよび複数の丸孔（吸引孔）１６ｃと、移動手摺２の移動方向に沿った一方の端部にある側壁に形成された差込口１６ｄとが形成されている。長孔１６ｂおよび丸孔１６ｃは、裏面２ａから取り除かれた塵埃を支持部１６の接触部１７側の外面から収容室１６ａ内へ導く。
【００１７】
長孔１６ｂは、移動手摺２の移動方向に沿った支持部１６の両端部に１つずつ配置されている。各長孔１６ｂは、移動手摺２の移動方向に垂直な方向に沿っている。丸孔１６ｃは、両長孔１６ｂの間に配置されている。裏面２ａに対向した支持部１６の外面に垂直な方向から視たときに、接触部１７と丸孔１６ｃとは、移動手摺２の移動方向に沿って交互に並べられている。また、裏面２ａに対向した支持部１６の外面に垂直な方向から視たときに、接触部１７と丸孔１６ｃとは、移動手摺２の移動方向に垂直な方向に沿って交互に並べられている。
【００１８】
支持部１６の下部には、固定台７に向かって延びた４本のピン１８と、各ピン１８の先端部に設けられ、ピン１８の側面から突出したスプリングボール１９とが設けられている。スプリングボール１９は、ピン１８の側面から一部が突出したボール部と、ピン１８に収容され、ピン１８の側面からのボール部の突出量の変化に応じてばね力を発生させるばね部とを有している。スプリングボール１９のばね力に逆らってスプリングボール１９がピン１８側へ押圧されることで、スプリングボール１９のピン１８の側面からの突出量が小さくなる。
【００１９】
図８は図２の固定台本体９を示す正面図である。ブラシ３側の固定台本体９の上壁には、ブラシ３側の空間と空洞９ａとを連通した貫通孔９ｂが形成されている。溝６ａの底面側の固定台本体９の下壁には、固定台本体９よりも溝６ａの底面側の空間と空洞９ａとを連通し、ビス８が挿入される貫通孔９ｃが形成されている。スプリングボール１９のばね力に逆らってピン１８の側面からのスプリングボール１９の突出量を小さくして、ピン１８およびスプリングボール１９を貫通孔９ｂに挿入し、スプリングボール１９を空洞９ａ内で貫通孔９ｂから出すことで、ピン１８の側面からのスプリングボール１９の突出量が元に戻って、ブラシ３が固定台７に固定される。
【００２０】
図９は図３の吸引ホース部１４を示す側面図である。吸引ホース部１４の先端部には、差込口１６ｄに差し込まれる差込部１４ａが形成されている。差込部１４ａが差込口１６ｄに差し込まれることで、吸引ホース部１４内と収容室１６ａ内とが連通する。
【００２１】
次に、この実施の形態に係るエスカレータ手摺清掃装置１の使用方法について説明する。固定台７は予め各案内レール６の溝６ａに固定しておく。したがって、エスカレータの通常運転時には、固定台７が溝６ａに固定された状態で、移動手摺２が循環移動される。エスカレータ手摺清掃装置１をエスカレータに設置するときには、まず、各移動手摺２の張力を緩めて、固定台７が取り付けられている案内レール６の部分から移動手摺２を取り外す。次に、ブラシ３を各固定台７に取り付け、各ブラシ３に吸引ホース部１４を取り付ける。次に、各差込口６ｂに案内レール６の外側から各連結ホース部１５を挿入して、各連結ホース部１５の先端部を吸引ホース部１４に接続する。次に、各連結ホース部１５に共通の接続器具部１３を取り付け、接続器具部１３に掃除機ホース部１２を取り付ける。次に、溝６ａの外側に設けられている共通の掃除機４を掃除機ホース部１２に取り付ける。これにより、ホース５は、ブラシ３によって裏面２ａから取り除かれた埃塵を溝６ａ内から掃除機４へ導くことができる。次に、移動手摺２の張力を元に戻して、移動手摺２の裏面２ａをブラシ３の接触部１７に接触させる。
【００２２】
次に、掃除機４を駆動させた状態で、各移動手摺２を循環移動させる。これにより、ブラシ３によって裏面２ａから塵埃が取り除かれ、裏面２ａから取り除かれた塵埃が各挿入部１１を通過して共通の掃除機４によって吸引される。
【００２３】
以上説明したように、この実施の形態に係るエスカレータ手摺清掃装置１によれば、案内レール６の溝６ａにブラシ３が設けられるので、エスカレータ手摺清掃装置１を移動手摺２の往路側の部分に設けることができる。これにより、移動手摺２の移動経路のうちの帰路側の部分で裏面２ａへのブラシの接触を妨げる部材が設けられているエスカレータであっても、移動手摺２の裏面２ａにブラシ３を接触させて、移動手摺２の裏面２ａに付着した塵埃を取り除くことができる。また、エスカレータ手摺清掃装置１が移動手摺２の移動経路のうちの往路側の部分に設けられるので、裏面２ａから取り除かれた塵埃は、自重によって支持部１６へ落下して、裏面２ａから取り除かれた塵埃が裏面２ａに再付着することを防止することができる。
【００２４】
また、ブラシ３は支持部１６と移動手摺２の裏面２ａに接触する接触部１７とを有し、支持部１６には、収容室１６ａとブラシ３側の外面から収容室１６ａ内へ塵埃を導く長孔１６ｂおよび丸孔１６ｃとが形成され、ホース５内は収容室１６ａ内と連通しているので、接触部１７によって裏面２ａから取り除かれた塵埃を掃除機４に効果的に吸引させることができる。
【００２５】
また、固定台７が案内レール６の溝６ａに設けられ、固定台７がブラシ３を支持し、固定台７が溝６ａの底面とブラシ３との間の距離を調整可能であるので、溝６ａの深さが異なる複数のエスカレータに対して、それぞれの溝６ａの深さに合わせて、ブラシ３を案内レール６の裏面２ａに確実に接触させることができる。
【００２６】
また、ブラシ３が固定台７に着脱可能となっているので、案内レール６の裏面２ａから塵埃を除去しない場合には、ブラシ３を固定台７から取り外すことで、ブラシ３と裏面２ａとの接触による案内レール６の劣化を抑制し、案内レール６の長寿命化を図ることができる。また、ブラシ３と裏面２ａとの接触によるブラシ３の劣化を抑制することができる。
【００２７】
また、ブラシ３が一対の案内レール６の両方に設けられ、ホース５は、案内レール６の溝６ａに一つずつ挿入された一対の挿入部１１を有し、裏面２ａから取り除かれた塵埃を各挿入部１１に通過させて共通の掃除機４へ導くので、掃除機４を駆動させることで、両方の案内レール６の裏面２ａから塵埃を同時に取り除くことができる。その結果、案内レール６の裏面２ａに付着した塵埃を取り除く作業時間を短縮することができる。
【００２８】
なお、この実施の形態では、乗客コンベヤとしてエスカレータを例に説明したが、動く歩道であってもよい。
【００２９】
また、この実施の形態では、ブラシ３が、移動手摺２の移動経路のうちの往路側における上側水平部分で移動手摺２の裏面２ａに接触しているが、ブラシ３は、移動手摺２の移動経路のうちの往路側における下側水平部分で、裏面２ａに接触してもよい。また、ブラシ３は、移動手摺２の移動経路のうちの往路側の傾斜部分で、裏面２ａに接触してもよい。
【００３０】
また、この実施の形態では、凹部として、移動手摺２の移動方向に沿った溝６ａを例に説明したが、溝６ａに限らず、例えば、穴部であってもよい。
【００３１】
また、この実施の形態では、一対の案内レール６の両方にブラシ３を設けて、両方の移動手摺２の裏面２ａから同時に塵埃を取り除くエスカレータ手摺清掃装置１について説明したが、一対の案内レール６のうちの一方のみにブラシ３を設けて、その一方の移動手摺２の裏面２ａから塵埃を取り除くエスカレータ手摺清掃装置であってもよい。
【符号の説明】
【００３２】
１  エスカレータ手摺清掃装置（乗客コンベヤ手摺清掃装置）、２  移動手摺、２ａ  裏面、３  ブラシ、４  掃除機（吸引装置）、５  ホース（吸引管）、６  案内レール、６ａ  溝（凹部）、６ｂ  差込口、７  固定台（調整台）、８  ビス、９  固定台本体、９ａ  空洞、９ｂ  貫通孔、９ｃ  貫通孔、１０  調整カラー、１１  挿入部、１２  掃除機ホース部、１３  接続器具部、１４  吸引ホース部、１４ａ  差込部、１５  連結ホース部、１６  支持部、１６ａ  収容室、１６ｂ  長孔（吸引孔）、１６ｃ  丸孔（吸引孔）、１６ｄ  差込口、１７  接触部、１８  ピン、１９  スプリングボール。
【図１】
2011051785.tif 000003
【図２】
2011051785.tif 000004
【図３】
2011051785.tif 000005
【図４】
2011051785.tif 000006
【図５】
2011051785.tif 000007
【図６】
2011051785.tif 000008
【図７】
2011051785.tif 000009
【図８】
2011051785.tif 000010
【図９】
2011051785.tif 000011